(57)【要約】【課題】  保守管理が容易で、耐久性があり、自動的に流体を吐出させることができるディスペンサーを提供すること。【解決手段】  流体を収容する流体収容部１２と流体を吐出するための吐出機構１８と吐出機構１８を構成する構成部品を配置するように構成されたハウジング１６とを備えるディスペンサーであって、吐出機構１８はアクチュエーター１４と第１移送管７０と第２移送管７２と吐出口７４とを備え、流体収容部１２は側壁部２２と底壁部２４と注入口２８とを有し、注入口２８の上部に蓋部５２が配設され、蓋部５２を開けて注入口２８より流体を注入できるように構成され、ハウジング１６は基礎部４２と機構部４４と突出部４６とを備え、突出部４６には感知器８２が配設されており、感知器８２は流体利用物が接近したことを感知して、アクチュエーター１４を作動させるように構成されている。【選択図】図１
2022001113.tif 000002
【特許請求の範囲】
【請求項１】
流体を収容する流体収容部と、前記流体収容部から流出する流体を吐出するための吐出機構と、前記吐出機構を構成する構成部品を配置するように構成されたハウジングとを備え、
前記吐出機構は、
前記流体収容部より移送された流体を移送するアクチュエーターと、
前記流体収容部の流出口に連結され、流体を上方にある前記アクチュエーターに向けて送る、第１移送管と、
前記アクチュエーターより吐出された流体を移送する第２移送管と、
前記第２移送管により送られてくる流体を、外部に吐出する吐出口とを備え、
前記流体収容部は、
側壁部及び底壁部を有し、前記底壁部とは反対側に流体を注入するための注入口を備え、
前記底壁部には、前記流出口が配設されており、
前記注入口の上部に、開閉自在の蓋部が配設され、前記蓋部を開けて前記注入口より流体を注入できるように構成され、
前記ハウジングは、
前記流体収容部を取り付ける基礎部と、前記基礎部の上に配設された機構部と、前記機構部の上方において前記機構部より前方に向けて突き出し設けられ、感知器及び吐出口が配設された突出部とを備え、
前記ハウジングには、前記アクチュエーター、前記第２移送管、前記吐出口及び前記感知器を備えるように構成され、
前記感知器は、流体利用物が接近したことを感知して、前記アクチュエーターを作動させるように構成された、ディスペンサー。
【請求項２】
前記流体収容部の前記底壁部は、前記側壁部より下方に傾斜しており、最も低い位置に前記流出口が配設される、請求項１に記載のディスペンサー。
【請求項３】
前記流体収容部は、前記ハウジングの機構部の一方側面又は他方側面ないしは両側面の側に配設される領域を備える、請求項１または２のいずれかに記載のディスペンサー。
【請求項４】
前記流体収容部は、合成樹脂で成型されており、
前記側壁部は、前記ハウジングの前方及び／又は側方及び／又は後方から、前記流体収容部に収容された流体の量を確認できるように構成された、請求項１ないし３のいずれかに記載のディスペンサー。
【請求項５】
前記ハウジングの基礎部には、電池収納機構が配設されており、
前記電池収納機構は、電池を収容する電池ボックスが下方向に向けて取り出す構造を備える、請求項１ないし４のいずれかに記載のディスペンサー。
【発明の詳細な説明】
【技術分野】
【０００１】
この発明は、ディスペンサーに関し、特に、例えば、手洗い用の液体ソープや消毒液などの流体物を、ユーザーの手で触れることなく自動的に、吐出させることができる、ディスペンサーに関する。
【背景技術】
【０００２】
多くの人が利用するディスペンサーについて、ユーザーは、ウイルスや細菌の伝染を防ぐために、無接触で自動的に動作する、ディスペンサーを望んでいる。
多くの人が利用する場合、液体ソープの補充を、度々しなければならない等、その保守管理の容易性が求められ、一方、液体ソープなどの流体が漏れ等による、内部機構を侵すことが少ない構造のものが求められる。
【０００３】
特許文献１の溶液供給装置は、溶液タンクと、溶液タンクから溶液を溶液吸引用パイプを介して、吸引貯留する溶液室と、前記溶液と空気を混合して、ムース状に吐出するノズルと、ノズルの下方に手が挿入されたことを感知し空気ポンプを作動するセンサーとからなり、非接触で使用する度毎に作動し常時一定の量をムース状に吐出するように構成されている。特許文献１の溶液供給装置は、溶液タンクが本装置の最下部に配設され、安定性に問題があり、溶液タンクから全ての溶液を吸引することには難がある。
特許文献２のソープディスペンサは、ハウジング、リザーバ、ポンプ、モーター、センサー、電子プロセッサおよびノズルを備え、液体の吐出体積を近似的に吐出するようにモーターを制御するように、構成されている。このソープディスペンサは、リザーバが装置の下部に配設され、その他の構成部品が上部に配設され、安定性に難がある。又、リザーバに貯められた液体ソープを完全に吸い上げるには難がある構成となっている。
特許文献３のディスペンサ及び補給ユニットは、基部ユニットに、吐出される物質を含む補給ユニットが逆転構成で、すなわち流出口が最下端部に位置するように、装着されるものである。基部ユニットは、液体を吐出するための作動機構が全て配設され、補給ユニットに、収容された液体が水漏れを起こすと、作動機構に液体が流れ込む恐れがある。
特許文献４の電動デバイスは、本体、駆動装置、吐出ノズルなどの各部を備えている。本体は、洗剤などの内容物が収納されたボトル容器を装着可能なケースとして構成され、本体の内部には、ボトル容器を、口部が下向きにされた状態で装着保持するボトルホルダーが、備えられている。ボトルホルダーの保持空間の底部には、ボトル容器の口部に挿入嵌合されるノズルが備えられている。駆動装置は、本体のボトルホルダーの下側に配置されている。特許文献４の電動デバイスは、ボトルホルダーに収容された洗剤等の収容物が液漏れを起こすと、その下部や周辺にある駆動装置を水に浸すことになる恐れがある。
【先行技術文献】
【特許文献】
【０００４】
【特許文献１】特開平９−１５０８７７号公報
【特許文献２】特開２０１８−１５８１０３号公報
【特許文献３】特許５４２５２２３号公報
【特許文献４】特開２０２０−５０３７５号公報
【発明の概要】
【発明が解決しようとする課題】
【０００５】
この発明はかかる事情に鑑みなされたもので、この発明の目的は、保守管理が容易で、耐久性があり、自動的に流体を吐出させることができるディスペンサーを、提供することである。
【課題を解決するための手段】
【０００６】
本発明にかかるディスペンサーは、
流体を収容する流体収容部と、前記流体収容部から流出する流体を吐出するための吐出機構と、前記吐出機構を構成する構成部品を配置するように構成されたハウジングとを備え、
前記吐出機構は、
前記流体収容部より移送された流体を移送するアクチュエーターと、
前記流体収容部の流出口に連結され、流体を上方にある前記アクチュエーターに向けて送る、第１移送管と、
前記アクチュエーターより吐出された流体を移送する第２移送管と、
前記第２移送管により送られてくる流体を、外部に吐出する吐出口とを備え、
前記流体収容部は、
側壁部及び底壁部を有し、前記底壁部とは反対側に流体を注入するための注入口を備え、
前記底壁部には、前記流出口が配設されており、
前記注入口の上部に、開閉自在の蓋部が配設され、前記蓋部を開けて前記注入口より流体を注入できるように構成され、
前記ハウジングは、
前記流体収容部を取り付ける基礎部と、前記基礎部の上に配設された機構部と、前記機構部の上方において前記機構部より前方に向けて突き出し設けられ、感知器及び吐出口が配設された突出部とを備え、
前記ハウジングには、前記アクチュエーター、前記第２移送管、前記吐出口及び前記感知器を備えるように構成され、
前記感知器は、流体利用物が接近したことを感知して、前記アクチュエーターを作動させるように構成されている。
このように構成することで、内容物の残量を監視することができ、内容物の補給を促すことができる。また、洗剤や薬液を非接触で、吐出させることができる。
【発明の効果】
【０００７】
本件発明にかかるディスペンサーによれば、保守管理が容易で、耐久性があり、自動的に流体を吐出させることができるディスペンサーを提供することができる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】本発明の一実施の形態であるディスペンサーの斜視図解図である。
【図２】本発明の一実施の形態であるディスペンサーの斜視図解図である。
【図３】本発明の一実施の形態であるディスペンサーの正面図解図である。
【図４】本発明の一実施の形態であるディスペンサーの側面図解図である。
【図５】本発明の一実施の形態であるディスペンサーの平面図解図である。
【図６】本発明の一実施の形態であるディスペンサーの底面図解図である。
【図７】図１に示すディスペンサーの縦断面図解図である。
【図８】図７に示すＡ−Ａ線における拡大断面図解図である。
【図９】図７に示すＢ−Ｂ線における拡大断面図解図である。
【図１０】ハウジングの基礎部を示す図解図である。
【図１１】本発明の一実施の形態であるディスペンサーの分解図解図である。
【図１２】本発明の一実施の形態であるディスペンサーの分解図解図である。
【図１３】本発明の一実施の形態であるディスペンサーの液体収容容器の斜視図解図である。
【図１４】本発明の一実施の形態であるディスペンサーの液体収容容器の斜視図解図である。
【図１５】本発明の一実施の形態であるディスペンサーのハウジング本体の斜視図解図である。
【図１６】本発明の一実施の形態であるディスペンサーのハウジング本体の斜視図解図である。
【図１７】本発明の一実施の形態であるディスペンサーの上被蓋部の底面側の斜視図解図である。
【図１８】本発明の一実施の形態であるディスペンサーのハウジング本体の上部分側の斜視図解図である。
【図１９】本発明の一実施の形態であるディスペンサーの上被蓋部の斜視図解図である。
【図２０】本発明の一実施の形態であるディスペンサーの上被蓋部の斜視図解図である。
【図２１】本発明の一実施の形態であるディスペンサーの上被蓋部の図解図であり、（Ａ）は平面図解図であり、（Ｂ）は正面図解図である。
【図２２】本発明の一実施の形態であるディスペンサーの上被蓋部の底面図解図である。
【図２３】本発明の一実施の形態であるディスペンサーのアクチュエーターの取り付け構造を示す斜視図解図である。
【図２４】本発明の一実施の形態であるディスペンサーの下被蓋部の斜視図解図である。
【図２５】本発明の一実施の形態であるディスペンサーのバッテリー収納部の取り付け構造を示す斜視図解図である。
【図２６】本発明の一実施の形態であるディスペンサーのバッテリー収納部の斜視図解図である。
【図２７】本発明の一実施の形態であるディスペンサーの概略図である。
【図２８】本発明の一実施の形態であるディスペンサーの吐出量を設定するフローチャートである。
【図２９Ａ】本発明の一実施の形態であるディスペンサーの動作の種類を示す概略図である。
【図２９Ｂ】本発明の一実施の形態であるディスペンサーの動作を示す概略図である。
【発明を実施するための形態】
【００１０】
この発明に係る一実施の形態であるディスペンサーについて、主として図１ないし図２９に基づいて、以下説明する。
【００１１】
一実施の形態であるディスペンサー１０は、
液体石鹸などの洗剤や薬液などの液体である流体を収容する流体収容部１２と、流体を流体収容部１２から吐出するための吐出機構１８と、流体を流体収容部１２に注入するための注入口部２０とを備え、
流体収容部１２の吐出機構１８を構成する流出口２６に連結され、流体を上方にあるアクチュエーター１４を構成するポンプに向けて送るための、吐出機構１８を構成する第１移送管７０と、
流体収容部１２より移送された流体を、吐出口７４に向けて移送をするための、アクチュエーター１４を構成するポンプと、
アクチュエーター１４より吐出された流体を、吐出口７４に向けて送るための、吐出機構１８を構成する第２移送管７２と、
第２移送管７２により送られてくる流体を外部に吐出する吐出口７４と、
流体利用物が接近したことを感知してアクチュエーター１４を作動させる信号を送る、感知器８２と、
アクチュエーター１４、第２移送管７２、吐出口７４及び感知器８２を備えるように構成された、ハウジング１６とを備える。
【００１２】
ハウジング１６は、
流体収容部１２を取り付ける基礎部４２と、
基礎部４２の上に配設された機構部４４と、
機構部４４の上方において、機構部４４より、前方に向けて、突き出し設けられ、感知器８２及び吐出口７４が配設された突出部４６とを備えるハウジング本体４０と、
ハウジング本体４０の上部に被せられる上被塞部５０と、
ハウジング本体４０の下部に被せられる下被塞部５６とを備えている。
【００１３】
流体収容部１２は、主として、側壁部２２及び底壁部２４を有している、プラスチックで成形された液体収容容器で構成されている。流体収容部１２は、プラスチックで一体成形されていてもよい。流体収容部１２を構成する液体収容容器は、耐薬品性を備えた、ポリプロピレンをもって、中空状に成形されたタンクで構成され、液体である流体を貯蔵できるように構成されている。
【００１４】
底壁部２４は、底面視略Ｕの字型の底板部を備えており、底板部は、側壁部２２より一回り小さい大きさであって、ハウジング本体４０の基礎部４２の凹部に嵌め合うことができるようにハウジング取付部３０を構成している。
底壁部２４は、側壁部２２と連設されており、底壁部２４に続く側壁部２２は、底壁部２４に近い領域が、底壁部２４の底板部と同じ大きさに形成されており、ハウジング本体４０の基礎部４２に嵌め合うようにハウジング取付部３０を構成している。
底壁部２４は、底板部が側壁部２２に繋がる周辺部より下方に傾斜しており、底板部の最も低い位置に、液体収容容器に蓄液された流体を外部に流出させる流出口２６が配設されている。
流出口２６は、下方に突き出し設けられた筒状で、第１移送管７０を連結できるように構成され、流体収容部１２より吐出口７４に液体を送り出す吐出機構１８を構成している。
流出口２６には、ハウジング１６の基礎部４２の底部より突き出された部位に、流体をアクチュエーター（ポンプ）１４に送り込む第１移送管７０が嵌合されて連結されている。
【００１５】
流体収容部１２は、底壁部２４とは反対側の側壁部２２の上部に、流体収容部（液体収容容器）１２を構成する液体収容容器内の蓄液部分に流体である液体を注入するための、開口部分である注入口部２０を備えている。
流体収容部１２は、側壁部２２の上部に形成された注入口部２０を覆うために側壁部２２の上部に被せる容器蓋部３２を備えている。
【００１６】
容器蓋部３２は、側壁部２２の下部に連接された底壁部２４とほぼ相似形の全体形状を備えている。容器蓋部３２は、その中央に注入口２８が形成されている。
容器蓋部３２は、側壁部２２の口縁部分に嵌め合わせることができる縁部を備えた、平面視略Ｕ字型板状に成形されている。
容器蓋部３２は、耐薬品性を備えた、ポリプロピレンなどのプラスチックで成形されている。
【００１７】
流体収容部１２は、ハウジング１４の機構部４４の一方側面又は他方側面ないしは両側面の側に配設される領域を備えており、前方よりそこに収容された液体の量を見通すことができるように構成されている。
すなわち、流体収容部１２は、側壁部２２が、ハウジング１６の機構部４４の左側又は右側ないしは両側並びに、後ろ側に配設されるように構成されている。
この実施の形態においては、流体収容部１２の側壁部２２及びハウジング取付部３０が、ハウジング１６の機構部４４の両側、すなわち左側及び右側対向する領域を備えかつ機構部４４の後ろ側にも配設されるように構成された、断面略Ｕ字型の筒状に形成されている。
流体収容部１２は、ハウジング１６の機構部４４の左側または右側及び後ろ側に配設される断面略Ｌ字型であってもよく、又、外周面が、平面で構成されるものではなく、円弧状面で構成されるものであってもよい。
この実施の形態においては、流体収容部１２は、左側において前側に突き出された左側突き出し領域２２ａと右側において前側に突き出された右側突き出し領域２２ｂと右側突き出し領域２２ｂとの間に跨る後ろ側領域２２ｃとを備える。
【００１８】
側壁部２２は、その前側領域及びその下側領域すなわち、左側突き出し領域２２ａ、右側突き出し領域２２ｂ及び後ろ側領域２２ｃの前側領域及び下側領域に、ハウジング取付部３０が形成されている。
側壁部２２の前側領域に形成されたハウジング取付部３０は、ハウジング本体４０の機構部４４の前側領域に嵌り込むように、左側の左側突き出し領域２２ａと右側の右側突き出し領域２２ｂの間に形成された開口部分が幅狭となるように、前側の隅角部分が湾曲した嘴状に形成されている。
側壁部２２の下側領域に形成されたハウジング取付部３０は、ハウジング本体４０の基礎部４２に嵌め合うことが出来るように、構成されている。
この実施の形態においては、ハウジング取付部３０は、ハウジング本体４０の基礎部４２を構成する垂直壁で形成された外周壁の内側の凹部に、液体収容容器の側壁部２２が嵌め込まれるように構成され、基礎部４２の垂直壁の内側に嵌め込まれる側壁部２２の下方領域が、垂直壁の開口部分の板厚分小さくなるように、段差状に形成されている。
【００１９】
側壁部２２は、ハウジング１６より突出した領域、すなわち、左側突き出し領域２２ａ及び右側突き出し領域２２ｂにおいて、前方より、流体収容容器に収容された流体物の量を確認できる透視構造を備えている。
流体収容部１２を構成する液体収容容器は、側壁部２２及び底壁部２４を備えた、透明又は半透明である合成樹脂で成形された液体を収容できるタンクであり、タンクの側壁部２２が、ハウジング１６の前方及び／又は側方及び／又は後方から、透明又は半透明部分において、流体収容部１２に収容された流体の量を確認できるように構成されている。
【００２０】
流体収容部１２を構成する液体収容容器は、ハウジング１６の基礎部４２の上に底壁部２４を配置して、基礎部４２の上方において嵌め込まれるハウジング取付部３０によって垂直方向に立設できる構造を備えており、且つ基礎部４２の上に配設された機構部４４の側方及び後ろ側おいて嵌め込まれるハウジング取付部３０によって機構部４４の周囲に配設できる構造を備えている。すなわち、流体収容部１２は、液体収容容器の側壁部２２及び底壁部２４に形成されたハウジング取付部３０によって、ハウジング１６の基礎部４２及び機構部４４に形成されたハウジング取付部３０に着脱自在に固定されるように、構成されている。
注入口２８は、容器蓋部３２に形成され、液体収容容器の上部に形成された開口部である注入口部２０及び容器蓋部３２に形成された注入口２８を覆うための開閉自在な蓋部５２が配設されている。
容器蓋部３２は、容器蓋部３２に形成された注入口２８の周縁に、蓋部５２の下面に突設された位置決め用凸条部分５２ａに嵌挿される、凸状部分３２ａを備える。
蓋部５２は、容器蓋部３２の全体を覆うように形成されており、蓋部５２は、上被塞部５０を構成するハウジング本体塞部５４に回動自在に取り付けられており、蓋部５２を開けて、注入口２８より、流体収容部（液体収容容器）１２の蓄液部分内に流体を注入できるように構成されている。
【００２１】
ハウジング本体塞部５４は、ハウジング１６のハウジング本体４０の機構部４４及び突出部４６の上部開口部分を覆う平面視略方形状であり、蓋部５２は、流体収容部（液体収容容器）１２を構成する液体収容容器の上部を覆う平面視略Ｕの字型である。
蓋部５２は、前方に突き出されており、ハウジング本体塞部５４の後端部をその間に挟むように構成された架け渡し部分を備えており、その架け渡し部分において、ハウジング本体塞部５４の回動突起６８ａを嵌合する嵌合穴６８ｂが形成されている。
蓋部５２は、蓋部５２の回動突起６８ａとハウジング本体塞部５４の嵌合穴６８ｂとがはめ合わされて、ハウジング本体塞部５４に回動自在に取り付けられている。
【００２２】
流体収容部１２を構成する液体収容容器は、ハウジング１６の基礎部４２の上に配置される底壁部２４が及びハウジング取り付け部３０、ハウジング１６の基礎部４２と、ほぼ同じ幅及び奥行きを備えている。
流体収納部１２を構成する液体収容容器は、左側突き出し領域２２ａと右側突き出し領域２２ｂとの間にハウジング１６の機構部４４の前面側と同じ幅の開口部を備え、その前面は、ハウジング１６の機構部４４と基礎部４２と合わせた幅を備え、機構部４４の側方及び後ろ側おいて嵌め込まれる奥行き、及び側方及び後ろ側において基礎部４２に嵌め込まれる奥行きを備えている。
流体収容部１２は、側壁部２２がハウジング本体４０の基礎部４２と同じ幅及び奥行きを備えると共に、底壁部２４がハウジング本体４０の基礎部４２と同じ幅及び奥行きを備えている。
流体収容部１２を構成する液体収容容器は、機構部４４、及び機構部４４の上方において機構部４４より前方に向けて突き出し設けられた突出部４６とほぼ同じ高さを備える。
【００２３】
ハウジング１６は、ハウジング本体４０が、流体収容部１２を取り付ける基礎部４２と、基礎部４２の上に配設された機構部４４と、機構部４４の上方において、機構部４４より、前方に向けて、突き出し設けられた突出部４６とを備え、その上部に上被塞部５０が取り付けられて、上部空間が塞がれていると共に、その下部に、下被塞部５６が取り付けられて、下部空間が塞がれている。
【００２４】
ハウジング１６は、基礎部４２、機構部４４及び突出部４６を有するハウジング本体４０が、プラスチックで成形され、水密性を保つように構成されている。
【００２５】
ハウジング１６は、流体収容部１２を取り付ける基礎部４２が、ハウジング１６の機構部４４及び突出部４６並びに流体収容部１２を支持できるように、一定の体積と重量とを備えている。
基礎部４２は、全体が断面方型の角筒状体であって、その前方領域に、基礎部４２より幅が狭く、基礎部４２の左右端より一定の間隔をあけて、機構部４４が、上方に向けて、立設されている。
【００２６】
基礎部４２の上に配設された機構部４４は、横断面四方形であって、その内部に、バッテリー収納機構９０及びアクチュエーター１４を収納できるように、中空筒状に構成されている。
ハウジング本体４０を構成する機構部４４及び突出部４６は、その上部が開放されており、その上部に、その上部の開放部分を覆う上被塞部５０が取り付けられている。
【００２７】
ハウジング１６は、突出部４６が、機構部４４より前方に向けて突き出し設けられ、突出部４６は、赤外線センサーなどの感知器８２及びアクチュエーター（ポンプ）１４より送られてくる流体である液体を外部に吐出するための吐出口７４が配設されるように構成されている。
この実施の形態においては、突出部４６は、後ろ側すなわち機構部４４側に、感知器取付用貫通孔６２ａが形成され、該感知器取付用貫通孔６２ａ内に、赤外線センサーなどの感知器８２をはめ込み、固定するように構成されている。
更に、突出部４６の前側には、吐出口７４を構成するノズルを嵌め込む吐出口用貫通孔６２ｂが設けられ、該吐出口用貫通孔６２ｂから突き出た吐出口７４を構成するノズルが突出部４６の下方から突き出て、液体を吐出することができるように、構成されている。
【００２８】
第１移送管７０及び第２移送管７２は、チューブにより構成され、液体石鹸、消毒液などの液体の種類により、適宜、材質や直径など最適なものが選択される。
チューブは、例えば、プラスチック、ゴム又は金属などの中から、最適なものが選択される。
【００２９】
第２移送管７２は、流体収容部１２を構成する液体収容容器に満たされた流体である液体の最上部の位置より高い位置に、吐出口７４が、設けられている。
このように、液体収容容器に満たされた液体の水位より高い位置に、流体を吐出する吐出口７４が設けられることにより、吐出口７４からの液体の自然な吐出を避けることができる。
【００３０】
ハウジング１６は、アクチュエーター１４並びに第１移送管７０及び第２移送管７２を取り付ける機構部４４が、ハウジング１６の突出部４６並びに流体収容部１２を支持できるように、一定の体積と重量とを有する構造を備えている。
機構部４４は、全体が断面方型の角筒状体であって、その上方領域に、先が細い嘴状の突出部４６が、前方に向けて、突き出し設けられている。
機構部４４は、横断面四方形であって、その内部に、アクチュエーター１４及びバッテリー収納機構９０を収納できるように、中空筒状に構成されている。
【００３１】
上被塞部５０は、機構部４４及び突出部４６とほぼ同じ外形を備えるハウジング本体塞部５４と、流体収容部（液体収容容器）１２の蓋部５２とほぼ同じ外形を備える蓋部５２とを備えている。
ハウジング本体塞部５４は、その下部の周縁部分に、機構部４４及び突出部４６の上部開口部分の周縁部に嵌合して取り付けるための係合する部分が設けられている。
上被塞部５０のハウジング本体塞部５４は、機構部４４及び突出部４６に嵌合する部分に、上被塞部５０と機構部４４及び突出部４６とを連結するための係り止め部６４が設けられている。
一方、上被塞部５０を嵌合する機構部４４及び突出部４６の開放部分を構成する壁部分の内側には、上被塞部５０と機構部４４及び突出部４６とを連結するための係り止め部６６が設けられている。
【００３２】
機構部４４の空洞内は、その中央より上方寄りに、アクチュエーター１４を取り付けるためのアクチュエーター取付部６０が設けられている。
アクチュエーター取付部６０は、アクチュエーター１４を、取り付けるための凸部が設けられている。
アクチュエーター１４は、アクチュエーター取付部６０を構成する凸部に係合して機構部４４に取り付けられる。
【００３３】
アクチュエーター１４は、ポンプ７６及びモーター７８を含む。
ポンプ７６は、異なる流体を個々に供給する複数のローリングポンプ、又は、異なる流体を混合させて加圧対象物に供給するローリングポンプを用いる。
例えば、吸い込む口を二つ設け、一方の吸い込み口に外部から気体を供給し、他方の吸い込み口に流体収容部（液体収容容器）１２から送られてくる液体を供給し、複数のポンプ室の何かに気体を吸い込ませ。残りのポンプ室に流体収容部（液体収容容器）１２から送られてくる液体を吸い込ませるように、構成されたものが用いられる。
ポンプ７６は、供給される流体の種類により、適宜変更される。
モーター７８は、例えば、ＡＣ電気モーターが用いられる。その他、ポンプ７６の機能及び電源９４に対応して、ＤＣモーター、ソレノイドなど、ポンプを作動させることができる物が用いられる。
【００３４】
機構部４４は、基礎部４２に配設された流体収容部（液体収容容器）１２の流出口２６に連結された第１移送管７０を、アクチュエーター１４まで導く空間を備え、第１移送管７０が、基礎部４２より上方にあるアクチュエーター１４に向けて上方に延びる空間を備えるように、中空の筒状に形成されている。
【００３５】
更に、機構部４４は、アクチュエーター１４に連結された第２移送管７２を上方に向けて導く空間を備え、且つ、第２移送管７２を、機構部４４より前方にある突出部４６に取り付けられた吐出口７４まで導く、空間を備える。
【００３６】
吐出口７４は、先端にノズルを備え、その先端のノズルは、吐出する流体の状態を変更できるように、吐出する流体の状態に合わせ最適なノズルに変更できるように、脱着自在に取り付けられる構造を備えている。
吐出する流体は、液状、泡状、または霧状などがあり、ノズルは、吐出する流体の状態に合わせた構造を備えている。
【００３７】
ハウジング１６は、ハウジング本体４０が、流体収容部１２を取り付ける基礎部４２と、基礎部４２の上に配設された機構部４４と、機構部４４の上方において、機構部４４より、前方に向けて、突き出し設けられた突出部４６とを備え、その上部に上被塞部５０が取り付けられて、上部空間が塞がれている。
ハウジング１６は、ハウジング本体４０の基礎部４２の上に、流体収容部（液体収容容器）１２を取り付けるように構成されている。
流体収容部（液体収容容器）１２は、上被塞部５０を開けて、基礎部４２の開口部分より下方に向けて基礎部４２の空間内に降ろし、基礎部４２の中間壁４２ｂに設けられた貫通孔４２ｄに流出口２６を貫入させ、且つ取付用突起部３０ｄを基礎部４２の取付用嵌合部４２ｅに嵌入させて、ハウジング１６に取り付けるように構成されている。
【００３８】
ハウジング１６は、ハウジング本体４０の下部において、バッテリー収納機構９０が配設されている。
ハウジング１６は、基礎部４２の下部の開口部分を塞ぐ、下被塞部５６が、取り付けられる。
下被塞部５６は、取り付け部５６ｃを基礎部４２の中間壁４２ｂに設けられた取り付け部４２ｃに嵌め合わして、基礎部４２に取り付けられる。
【００３９】
ハウジング１６は、ハウジング本体４０の下部の中空部内における、基礎部４２及び機構部４４に跨る領域に、バッテリー収納機構９０を取り付けるためのバッテリーボックス取付部５８が配設されている。
この実施の形態においては、基礎部４２に被せられる下被塞部５６の上面に、角筒状のバッテリーボックス取付部５８が、突設されている。
【００４０】
ハウジング１６は、ハウジング本体４０の上部に被せられた上被塞部５０に、その後ろ側の上部において、感知器８２を制御するタッチセンサー８０が配設されている。
更に、ハウジング１６は、ハウジング本体４０の上部に被せられた上被塞部５０に、その前側の上部において、ＬＥＤなどの表示装置を含む情報処理・発信装置８４が設けられている。
情報処理・発信装置８４は、ＣＰＵ（中央演算処理装置）なども含む電子制御デバイス８８、ＬＥＤなどのインジケーター８６等を含む。
【００４１】
ハウジング１６のハウジング本体４０の上部に被せられた上被塞部５０に設けられたタッチセンサー８０は、隙間なく上被塞部５０に配設できるので、防水性に優れている。
更に、ハウジング本体４０の上部に被せられた上被塞部５０に設けられた情報処理・発信装置８４は、その前側の上部において隙間なく上被塞部５０に配設できるので防水性に優れている。
【００４２】
ハウジング１６を構成するハウジング本体４０の上部に被せられた上被塞部５０に設けられたタッチセンサー８０は、使用者が、情報処理・発信装置８４の電子制御デバイス８８に、命令を入力することを可能にする構造を備える。
タッチセンサー８０は、長く押すか短く押すかにより、吐出口７４からの液体の吐出量を選択することを可能にする、セレクターとしての機能を備える。
タッチセンサー８０は、感知器８２のＯＮ／ＯＦＦのボタンの機能、情報処理・発信装置８４の吐出時間の設定機能、洗浄モードの切り替え機能などを実施させる機能変更手段としての機能を備える。
例えば、タッチセンサー８０を長押しすると、吐出時間が長くなり、タッチセンサー８０を押す時間を短くすると、吐出時間が短くなるように構成することができる。
【００４３】
更に、ハウジング本体４０の上部に被せられた上被塞部５０の上部に設けられた、情報処理・発信装置８４は、吐出時間を設定したり、洗浄モードを切り替えたり、文字などの画線を表現したりするように構成されている。
情報処理・発信装置８４は、タッチセンサー８０、感知器８２及びアクチュエーター（ポンプ）１４に電気的に接続されている。
【００４４】
情報処理・発信装置８４の電子制御デバイス８８は、アクチュエーター１４のオン・オフの切り替え、流体の吐出量の大小の設定、情報処理・発信装置８４の発信装置を構成する表示装置（赤色ＬＥＤ及び青色ＬＥＤ）における流体の吐出時の色彩及び吐出後の色彩の変更並びに点灯及び点滅の切り替えを制御できるように構成されている。
【００４５】
電子制御デバイス８８は、ＣＰＵ（中央演算処理装置）などを含む。
電子制御デバイス８８は、タッチセンサー８０が押されると、アクチュエーター１４を、継続的または一定時間作動させるように、構成される。
電子制御デバイス８８は、継続的または一時的に感知器８２を作動させて、物体の存在を検出するように構成される。
電子制御デバイス８８は、インジケーター８６に、情報を発するように指示する電気信号を送るように、構成される。
【００４６】
情報処理・発信装置８４の電子制御デバイス８８は、感知器８２が始動されるたびに、吐出口７４から所定の量の液体を吐出させるように、ポンプ７６を駆動させるためにモーター７８を、作動させるように構成されている。
【００４７】
情報処理・発信装置８４の電子制御デバイス８８は、使用者による命令、すなわちタッチする長さ及びタッチする回数によって、電源をＯＮ（オン）にしたりＯＦＦ（オフ）にしたりすることができるように構成され、また、吐出口７４からの液体の吐出量を選択することを可能にするように構成されている。
この実施の形態においては、タッチセンサー８０を短押しすると、電源がＯＮ（オン）され、タッチセンサー８０を長押しすると、洗浄モードになるように、情報処理・発信装置８４の電子制御デバイス８８が初期設定されている。
この実施の形態においては、タッチセンサー８０を短く押す回数によって、吐出量小（０．５秒）、吐出量中（１．０秒）、吐出量大（１．５秒）となるように、情報処理・発信装置８４の電子制御デバイス８８が、設定されている。
【００４８】
感知器８２は、センサーデバイス及び受光部分を備え、光線が発光部分から放出され、受光部分により受けられるように構成された、赤外線センサーなどが用いられる。
感知器８２は、アクチュエーター１４を始動させるための情報処理・発信装置８４の電子制御デバイス８８に電気的に接続されている。
情報処理・発信装置８４は、電子制御デバイス８８に電気的に接続された表示装置を構成するインジケーター８６を備える。
表示装置を構成するインジケーター８６は、吐出時に点灯する第１の色彩表示デバイスと、吐出後に点灯する第２の色彩表示デバイスとを備える。
この実施の形態においては、第１の色彩表示デバイスを構成する青色ＬＥＤと、第２の色彩表示デバイスを構成する赤色ＬＥＤとを備える。
【００４９】
インジケーター８６は、視覚的に情報を表示したり、聴覚的に情報を受信することができる発信機能を備える。
この実施の形態においては、発光ダイオード（ＬＥＤ）が用いられる。
インジケーター８６は、電子情報を受信するために、情報処理・発信装置８４の電子制御デバイス８８に、電気的に接続されている。
インジケーター８６は、電子情報を受信するために、情報処理・発信装置８４の電子制御デバイス８８に、電気的に接続されている等、使用者への情報を発信する機能を備える。
【００５０】
インジケーター８６は、タッチセンサー８０によって選択された液体の吐出量を表示する機能を備える。
この実施の形態においては、吐出量小（０．５秒）に設定されたときには、インジケーター８６の青色ＬＥＤが１回点滅する。そして、吐出量中（１．０秒）に設定されたときには、インジケーター８６の青色ＬＥＤが２回点滅する。そして、吐出量大（１．５秒）に設定されたときには、インジケーター８６の青色ＬＥＤが３回点滅する。
この実施の形態においては、吐出時（アクチュエーター１４が動作する時）には、インジケーター８６の青色ＬＥＤが吐出量に応じて点灯する。一方、電源ＯＦＦ（オフ）のときには、インジケーター８６の赤色ＬＥＤが１回点滅する。
【００５１】
ハウジング１６は、ハウジング本体４０の下部に、バッテリー収納機構９０が設けられている。
バッテリー収納機構９０は、機構部４４の下方および基礎部４２の機構部４４の下方に、バッテリー収納部９２を、嵌め入れることができるような空間部を備えており、その空間部を塞ぐように、バッテリー収納部９２が挿入される構造を備えている。
バッテリー収納機構９０は、電源（電池などのバッテリー）９４を収容するバッテリー収納部９２を構成する電池ボックスを基礎部４２の下方より上方に向けて挿入したとき、バッテリー収納部９２の先端に設けられた突起を挟み止めして、ハウジング本体４０に固定する、係止機構を備えている。
バッテリー収納機構９０は、バッテリー収納部９２をハウジング本体４０のバッテリー収納機構９０を形成する空間部から取り出すときには、バッテリー収納部９２の下部を上方に押して、バッテリー収納部９２をハウジング本体４０に係止する係止機構から外して、バッテリー収納部９２を下方向に向けて取り出す構造を備えている。
【００５２】
バッテリー収納機構（電池収納機構）９０は、バッテリー収納部（電池ボックス）９２を構成する電池ボックスで、バッテリー収納部（電池ボックス）９２を嵌め込む穴を塞ぎ、プッシュ式によりバッテリー収納部（電池ボックス）９２を構成する電池ボックスを取り出すことができるので、ハウジング１６をひっくり返すことなく、電池交換が可能となり、流体収容部（液体収容容器）１２に収容された液体をこぼすこともない。
又、ハウジング本体４０の下部に、設置用の突起を設けることにより、接地面よりバッテリー収納部（電池ボックス）９２を高い位置に常に位置させることができことができ、底面側からの水などの流入を防ぐことができる。
【００５３】
電源９４は、実施形態においては、電池が用いられるが、ＡＣ電力又はＤＣ電力を許容するための電子機器を備え、種々の電源に対応するように構成することも可能である。
【００５４】
次に、以上のような構成を備えた実施の形態のディスペンサーのシステムにおける処理動作について、図２８および図２９に基づいて説明する。図２８は、本発明の一実施の形態であるディスペンサーの吐出量を設定するフローチャートである。図２９Ａは、本発明の一実施の形態であるディスペンサーの動作の種類を示す概略図である。図２９Ｂは、本発明の一実施の形態であるディスペンサーの動作を示す概略図である。
【００５５】
本発明の実施の形態であるディスペンサーは、図２９Ａに示す動作Ｉ〜動作ＩＩＩによって制御される。
動作Ｉは、タッチセンサー８０を短押しする動作である。動作Ｉは、吐出時間および／または吐出量設定動作であり、例えば、約１秒タッチセンサー８０に接触する動作を示す。
動作ＩＩは、タッチセンサー８０を長押しする動作である。動作ＩＩは、洗浄モードにする動作であり、例えば、約３秒タッチセンサー８０に接触する動作を示す。
動作ＩＩＩは、感知器８２（赤外線センサー）の検知範囲に流体利用物（手など）を感知する動作であり、吐出開始動作である。
【００５６】
本実施の形態では、事前に、情報処理・発信装置８４の電子制御デバイス８８は、以下の表のように設定されている。
【表１】
2022001113.tif 000003
【００５７】
例えば、情報処理・発信装置８４の電子制御デバイス８８に変数ｉが２に設定されている場合、すなわち「第２吐出モード（Ｍ２）」に設定されている場合、動作ＩＩＩにより感知器８２が人の手などの物体を感知すると、ディスペンサー１０は吐出時にインジケーター８６（青色ＬＥＤ）が１．０秒点灯し、かつ、流体を１．０秒吐出させる。
【００５８】
本実施の形態にかかるディスペンサー１０の吐出量を設定する場合の操作について説明する。
【００５９】
まず、電源がオフの状態でタッチセンサー８０を短押しすると、電源がオンになり、かつ、初期値として変数ｉに１が入力される。電子制御デバイス８８の変数ｉが１となり、「第１吐出モード（Ｍ１）」に設定され、インジケーター８６（青色ＬＥＤ）が１回点滅する。
次に、吐出量を増加させたい場合は、タッチセンサー８０を１回短押しすると、変数ｉに１が加算されて変数ｉは２となり、「第２吐出モード（Ｍ２）」に設定され、インジケーター８６（青色ＬＥＤ）が２回点滅する。吐出量を増加させない場合は何もしない、すなわち、タッチセンサー８０を押さないようにすることで、変数ｉに１が入力された状態が維持され、「第１吐出モード（Ｍ１）」に設定された状態が維持される。
さらに吐出量を増加させたい場合は、タッチセンサー８０を１回短押しすると、変数ｉに１が加算されて変数ｉは３となり、「第３吐出モード（Ｍ３）」に設定され、インジケーター８６（青色ＬＥＤ）が３回点滅する。吐出量を増加させない場合は何もしない、すなわち、タッチセンサー８０を押さないようにすることで、変数ｉに２が入力された状態が維持され、「第２吐出モード（Ｍ２）」に設定された状態が維持される。
最後に、電源をオフにする場合は、「第３吐出モード（Ｍ３）」に設定後、タッチセンサー８０を１回短押しすることで、変数ｉに１が加算されて変数ｉは４となる。変数ｉが３より大きくなると、「電源ＯＦＦモード（Ｍ４）」となり、インジケーター８６（赤色ＬＥＤ）が１回点灯した後、電源がオフの状態となる。
【００６０】
また、例えば吐出機構１８において流体が固化してしまい、流体を吐出しにくくなった場合に、吐出機構１８の内部を洗浄する操作について説明する。
【００６１】
事前にタッチセンサー８０を１回長押しすることで、１０秒吐出するように情報処理・発信装置８４の電子制御デバイス８８を設定しておく。流体を１０秒吐出し、かつ、吐出時に青色ＬＥＤを１０秒点灯するモードを「洗浄モード（Ｍ５）」とする。
【００６２】
吐出機構１８を洗浄したい場合は、電源がオンとなっている状態でタッチセンサー８０を１回長押しすることで、「洗浄モード（Ｍ５）」の状態となり、流体を１０秒吐出させることができる。
吐出機構１８の洗浄を終了したい場合は、「洗浄モード（Ｍ５）」の状態、すなわち流体を１０秒吐出している間にタッチセンサー８０を１回長押しすることで、吐出量を設定するモードに戻る。
【００６３】
このように設定しておくことで、ディスペンサー１０を分解して洗浄しなくても、固化した流体を取り除くことができる。
【００６４】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００６５】
１０    ディスペンサー
１２    流体収容部（液体収容容器）
１４    アクチュエーター（ポンプ）
１６    ハウジング
１８    吐出機構
２０    注入口部
２２    側壁部
２２ａ    左側突き出し領域
２２ｂ    右側突き出し領域
２２ｃ    後ろ側領域
２４    底壁部
２６    流出口
２８    注入口
３０    ハウジング取付部
３０ａ    後ろ側取り付け面
３０ｂ    側部側取付面
３０ｃ    前側取付面
３０ｄ    取付用突起部
３２      容器蓋部
３２ａ    凸条部分
４０    ハウジング本体
４２    基礎部
４２ａ    周縁部
４２ｂ    中間壁
４２ｃ    取付部
４２ｄ    貫通孔
４２ｅ    取付用嵌合部
４４    機構部
４６    突出部
４８    液体収容容器取付部
５０    上被塞部
５２    蓋部
５２ａ    位置決め用凸条部分
５４    ハウジング本体塞部
５６    下被塞部
５６ｃ    取付部
５８      バッテリーボックス取付部
６０      アクチュエーター取り付け部
６２ａ      感知器取付用貫通孔
６２ｂ      吐出口用貫通孔
６４、６６      係止部
６８ｂ    回動突起
６８ｂ    嵌合孔
７０    第１移送管
７２    第２移送管
７４    吐出口
７６    ポンプ
７８      モーター
８０    タッチセンサー
８２    感知器
８４    情報処理・発信装置
８６    インジケーター
８８    電子制御デバイス
９０    バッテリー収納機構（電池収納機構）
９２    バッテリー収納部（電池ボックス）
９４    電源
９６    係止機構
９６ａ    突起
９６ｂ  挟み止め部
【図１】
2022001113.tif 000004
【図２】
2022001113.tif 000005
【図３】
2022001113.tif 000006
【図４】
2022001113.tif 000007
【図５】
2022001113.tif 000008
【図６】
2022001113.tif 000009
【図７】
2022001113.tif 000010
【図８】
2022001113.tif 000011
【図９】
2022001113.tif 000012
【図１０】
2022001113.tif 000013
【図１１】
2022001113.tif 000014
【図１２】
2022001113.tif 000015
【図１３】
2022001113.tif 000016
【図１４】
2022001113.tif 000017
【図１５】
2022001113.tif 000018
【図１６】
2022001113.tif 000019
【図１７】
2022001113.tif 000020
【図１８】
2022001113.tif 000021
【図１９】
2022001113.tif 000022
【図２０】
2022001113.tif 000023
【図２１】
2022001113.tif 000024
【図２２】
2022001113.tif 000025
【図２３】
2022001113.tif 000026
【図２４】
2022001113.tif 000027
【図２５】
2022001113.tif 000028
【図２６】
2022001113.tif 000029
【図２７】
2022001113.tif 000030
【図２８】
2022001113.tif 000031
【図２９Ａ】
2022001113.tif 000032
【図２９Ｂ】
2022001113.tif 000033
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
流体を収容する流体収容部と、前記流体収容部から流出する流体を吐出するための吐出
機構と、前記吐出機構を構成する構成部品を配置するように構成されたハウジングとを備
え、
前記吐出機構は、
前記流体収容部より移送された流体を移送するアクチュエーターと、
前記流体収容部の流出口に連結され、流体を上方にある前記アクチュエーターに向け
て送る、第１移送管と、
前記アクチュエーターより吐出された流体を移送する第２移送管と、
前記第２移送管により送られてくる流体を、外部に吐出する吐出口とを備え、
前記流体収容部は、
側壁部及び底壁部を有し、前記底壁部とは反対側に流体を注入するための注入口を備
え、
前記底壁部には、前記流出口が配設されており、
前記注入口の上部に、開閉自在の蓋部が配設され、前記蓋部を開けて前記注入口より
流体を注入できるように構成され、
前記ハウジングは、
前記流体収容部を取り付ける基礎部と、前記基礎部の上に配設された機構部と、前記
機構部の上方において前記機構部より前方に向けて突き出し設けられ、感知器及び吐出口
が配設された突出部とを備え、
前記ハウジングは、前記吐出機構を構成する前記アクチュエーター、前記第２移送管、前記吐出口及び前記感知器を備えるように構成され、
前記ハウジングを構成する基礎部は、ハウジングを構成する機構部及び突出部並びに液体収容部を支持できるように構成された筒状体であり、
前記機構部は、前記基礎部の前方領域に、基礎部より幅が狭く、基礎部の端より一定の間隔をあけて、上方に向けて立設され、その内部に、バッテリー収納機構及び前記アクチュエーターを収納できるように中空筒状に構成され、
前記流体収容部を構成する容器は、前記機構部の側方及び後ろ側において、基礎部に配設されるように構成され、
前記感知器は、流体利用物が接近したことを感知して、前記アクチュエーターを作動さ
せるように構成された、ディスペンサー。
【請求項２】
前記流体収容部の前記底壁部は、前記側壁部より下方に傾斜しており、最も低い位置に
前記流出口が配設される、請求項１に記載のディスペンサー。
【請求項３】
前記流体収容部は、前記ハウジングを構成する筒状の機構部の一方側面又は他方側面ないしは両側面の側に配設される領域を備える、請求項１または２のいずれかに記載のディスペンサー。
【請求項４】
前記流体収容部は、合成樹脂で成型されており、
前記側壁部は、前記ハウジングの前方及び／又は側方及び／又は後方から、前記流体収
容部に収容された流体の量を確認できるように構成された、請求項１ないし３のいずれか
に記載のディスペンサー。
【請求項５】
前記ハウジングの基礎部には、電池収納機構が配設されており、
前記電池収納機構は、電池を収容する電池ボックスが下方向に向けて取り出す構造を備
える、請求項１ないし４のいずれかに記載のディスペンサー。
【手続補正２】
【補正対象書類名】明細書
【補正対象項目名】０００６
【補正方法】変更
【補正の内容】
【０００６】
本発明にかかるディスペンサーは、
流体を収容する流体収容部と、前記流体収容部から流出する流体を吐出するための吐出
機構と、前記吐出機構を構成する構成部品を配置するように構成されたハウジングとを備
え、
前記吐出機構は、
前記流体収容部より移送された流体を移送するアクチュエーターと、
前記流体収容部の流出口に連結され、流体を上方にある前記アクチュエーターに向け
て送る、第１移送管と、
前記アクチュエーターより吐出された流体を移送する第２移送管と、
前記第２移送管により送られてくる流体を、外部に吐出する吐出口とを備え、
前記流体収容部は、
側壁部及び底壁部を有し、前記底壁部とは反対側に流体を注入するための注入口を備
え、
前記底壁部には、前記流出口が配設されており、
前記注入口の上部に、開閉自在の蓋部が配設され、前記蓋部を開けて前記注入口より
流体を注入できるように構成され、
前記ハウジングは、
前記流体収容部を取り付ける基礎部と、前記基礎部の上に配設された機構部と、前記
機構部の上方において前記機構部より前方に向けて突き出し設けられ、感知器及び吐出口
が配設された突出部とを備え、
前記ハウジングは、前記吐出機構を構成する前記アクチュエーター、前記第２移送管、前記吐出口及び前記感知器を備えるように構成され、
前記ハウジングを構成する基礎部は、ハウジングを構成する機構部及び突出部並びに液体収容部を支持できるように構成された筒状体であり、
前記機構部は、前記基礎部の前方領域に、基礎部より幅が狭く、基礎部の端より一定の間隔をあけて、上方に向けて立設され、その内部に、バッテリー収納機構及び前記アクチュエーターを収納できるように中空筒状に構成され、
前記流体収容部を構成する容器は、前記機構部の側方及び後ろ側において、基礎部に配設されるように構成され、
前記感知器は、流体利用物が接近したことを感知して、前記アクチュエーターを作動さ
せるように構成されている。
このように構成することで、内容物の残量を監視することができ、内容物の補給を促すことができる。また、洗剤や薬液を非接触で、吐出させることができる。